(57)【特許請求の範囲】
【請求項１】
発光部と、
前記発光部を回動可能に支持する支持部と、
前記支持部に配置され、前記発光部の発光量を測光する測光手段と、
一端が前記発光部に設けられ、他端が前記支持部に設けられ、前記発光部で発光した光の一部を前記測光手段に導く可撓性の導光手段と、
前記発光部の位置を検知する検知手段と、
前記発光部の位置に対応する前記導光手段の透過光量に関する情報を記憶する記憶手段と、
前記検知手段の検知結果と前記記憶手段に記憶される前記導光手段の透過光量に関する情報とに基づいて前記測光手段の測光結果を補正する補正手段と、を有することを特徴とするストロボ装置。
【請求項２】
前記補正手段は、前記導光手段の透過光量が低くなるにつれて、前記測光手段の測光結果が大きくなるように補正することを特徴とする請求項１に記載のストロボ装置。
【請求項３】
前記補正手段は、前記導光手段の透過率が第１の値の場合よりも、前記導光手段の透過率が前記第１の値よりも低い第２の値の場合のほうが、前記測光手段の測光結果が大きくなるように補正することを特徴とする請求項１に記載のストロボ装置。
【請求項４】
ストロボ装置を内蔵する撮像装置であって、
発光部と、
前記発光部を回動可能に支持する支持部と、
前記支持部に配置され、前記発光部の発光量を測光する測光手段と、
一端が前記発光部に設けられ、他端が前記支持部に設けられ、前記発光部で発光した光の一部を前記測光手段に導く可撓性の導光手段と、
前記発光部の位置を検知する検知手段と、
前記発光部の位置に対応する前記導光手段の透過光量に関する情報を記憶する記憶手段と、
前記検知手段の検知結果と前記記憶手段に記憶される前記導光手段の透過光量に関する情報とに基づいて前記測光手段の測光結果を補正する補正手段と、
前記補正手段によって補正された測光結果に基づいてストロボ発光の制御値を演算する演算手段と、を有することを特徴とする撮像装置。
【請求項５】
前記演算手段は、前記ストロボ装置を本発光させる前に予備発光させて、前記測光手段でその発光量の測光を行い、この測光結果に基づいて前記本発光の制御値を演算することを特徴とする請求項４に記載の撮像装置。
【請求項６】
前記支持部は、前記発光部を回動可能に支持するベース部と該ベース部を回動可能に支持するカメラ本体とにより構成され、
前記ベース部は、前記カメラ本体に対して収納位置と使用位置に第１の回動軸を中心に回動可能であり、前記ベース部が使用位置にある状態において、前記発光部は第２の回動軸を中心に前記ベース部に対して所定の範囲で回動可能であることを特徴とする請求項４又は５に記載の撮像装置。
【請求項７】
前記支持部は、前記発光部を回動可能に支持するベース部と該ベース部を回動可能に支持するカメラ本体とにより構成され、
前記測光手段は、カメラ本体内に配置されていることを特徴とする請求項４乃至６のいずれか１項に記載の撮像装置。
【請求項８】
前記補正手段は、前記導光手段の透過光量が低くなるにつれて、前記測光手段の測光結果が大きくなるように補正することを特徴とする請求項４乃至７のいずれか１項に記載の撮像装置。
【請求項９】
前記補正手段は、前記導光手段の透過率が第１の値の場合よりも、前記導光手段の透過率が前記第１の値よりも低い第２の値の場合のほうが、前記測光手段の測光結果が大きくなるように補正することを特徴とする請求項４乃至７のいずれか１項に記載の撮像装置。
【発明の詳細な説明】
【技術分野】
【０００１】
本発明は、ストロボ装置及びそれを備えた撮像装置に関する。
【背景技術】
【０００２】
写真撮影において、ストロボ撮影では、通常、ストロボの照射方向をレンズ光軸とほぼ一致させる、いわゆる直射状態での使用を行うことが多い。しかしながら、直射状態でのストロボ光を用いた撮影では得られない撮影効果を得るため、ストロボの照射方向を直射状態から変更させ、天井や壁などにストロボ光を反射させた光を用いて撮影を行う、いわゆるバウンス撮影が知られている。
【０００３】
また、ストロボ撮影を行う際に、自動的に適正露光を得るように発光量の調節を行うカメラシステムが種々提案されている。
【０００４】
特許文献１に記載されたカメラシステムでは、バウンスなどのストロボの状態に応じてストロボの発光量を補正して、適正な発光量制御ができるようにしたカメラシステムが開示されている。このカメラシステムでは、ストロボを本発光させる前にプリ発光させて測光を行い、この測光結果に基づいて本発光の制御値を演算するように構成されている。
【０００５】
図８は、特許文献１に記載されたカメラの構成の一例を示す図である。
【０００６】
外付けストロボ３３０の発光部３５５が直射状態とバウンス状態に回動可能に構成されており、バウンス状態を検知する検知手段３５６を有している。そして、この検知手段３５６の検知結果に応じて予備発光の結果に対して本発光の制御値を補正したり制御値の演算のために使用される測光領域を選択したりするようにしている。このため、ストロボの状態にかかわらず、常に適正な露光量が得られるような発光量を得ることができるようになっている。
【先行技術文献】
【特許文献】
【０００７】
【特許文献１】特開平０９−０６１８９７号公報
【発明の概要】
【発明が解決しようとする課題】
【０００８】
特許文献１に開示された従来技術では、ストロボ発光の光量は、光ファイバー３３７によって受光素子３３８に導かれ、測光される構成となっている。本発光量の制御は受光素子３３８の出力に基づいて行われるため、ストロボ発光の光量と受光素子３３８が受光する光量の相関はストロボの状態にかかわらず常に一定である必要がある。
【０００９】
図８に示す外付けストロボ３３０のように発光部３５５内のスペースに余裕がある場合は、受光素子３３８を発光部３５５内に配置することが可能なため、直射状態でもバウンス状態でも光ファイバー３３７の屈曲状態に変化はないように構成することが可能である。
【００１０】
ところで、近年、撮影装置の小型化に伴って照射角可変のストロボ装置にも小型であることが要望されている。
【００１１】
この要望に伴い、例えば図８に示す外付けストロボの発光部３５５を小型化してストロボ装置全体の小型化を図った場合、受光素子３３８を従来と同様に発光部３５５内のスペースに配置することは困難である。したがって、その場合は、受光素子３３８を発光部３５５に配置するよりはベース部３３９に配置した方が、発光部のサイズや受光素子の配線の面から有利となる。しかしながら、そのように配置した場合、発光部３５５は直射状態とバウンス状態とで回転するのに対し、受光素子３３８が配置されるベース部３３９は固定であるため、発光部３５５の回転状態に応じて光ファイバー３３７の屈曲状態が変化する構成となる。つまり、発光部３５５の状態が直射状態の場合とバウンス状態の場合で光ファイバー３３７の屈曲状態が異なることになる。
【００１２】
また、例えば内蔵ストロボにバウンス機構を設ける場合、受光素子を発光部に配置するよりはカメラ本体内に配置したほうが、発光部のサイズや受光素子の配線の面から有利である。しかしながら、そのように配置した場合も、発光部の状態が直射状態の場合とバウンス状態の場合で光ファイバーの屈曲状態が異なることになる。
【００１３】
一般に光ファイバーはその屈曲状態によって光の透過率が変化する。そのため、小型でバウンス可能なストロボ装置を構成した場合、直射状態とバウンス状態で光ファイバーの屈曲状態が異なってしまうため、ストロボ発光の光量と受光素子が受光する光量の相関が異なることになる。結果として、発光部の回転状態に伴って適正な本発光量を得ることができなくなる問題があった。
【００１４】
本発明は、小型でバウンス可能なストロボ装置の発光部の回転状態によらず、適正な本発光制御が可能なストロボ装置及び撮像装置を提供することを目的としている。
【課題を解決するための手段】
【００１５】
本発明の一側面としてのストロボ装置は、発光部と、前記発光部を回動可能に支持する支持部と、前記支持部に配置され、前記発光部の発光量を測光する測光手段と、一端が前記発光部に設けられ、他端が前記支持部に設けられ、前記発光部で発光した光の一部を前記測光手段に導く可撓性の導光手段と、前記発光部の位置を検知する検知手段と、前記発光部の位置に対応する前記導光手段の透過光量に関する情報を記憶する記憶手段と、前記検知手段の検知結果と前記記憶手段に記憶される前記導光手段の透過光量に関する情報とに基づいて前記測光手段の測光結果を補正する補正手段と、を有することを特徴とする。
【発明の効果】
【００１６】
本発明によれば、小型でバウンス可能なストロボ装置の発光部の回転状態によらず、適正な本発光制御が可能なストロボ装置及び撮像装置を提供できる。
【図面の簡単な説明】
【００１７】
【図１】本発明の実施形態に係るカメラシステムの構成を示す図である。
【図２】本発明の実施形態に係る発光部の回動の状態を示す図である。
【図３】バウンス角度と光ファイバーの透過率の関係を示す図である。
【図４】本発明の実施形態に係るカメラシステムの回路構成を示す図である。
【図５】本発明の実施形態に係るカメラシステムの動作を示すフローチャートである。
【図６】本発明の実施形態に係るカメラシステムの予備発光量演算の動作を示すフローチャートである。
【図７】本発明の実施形態に係るカメラシステムの本発光制御値設定の動作を示すフローチャートである。
【図８】従来のカメラシステムの構成を示す図である。
【発明を実施するための形態】
【００１８】
図１は本発明の一実施例に係わる、ストロボ内蔵一眼レフレックスカメラ（撮像装置）の構成を示す図である。本実施例では、小型でバウンス可能なストロボ装置の一例としてバウンス機構を設けた内蔵ストロボを例に挙げ説明していくが、本発明はこれに限らず小型でバウンス可能な外付けストロボ装置にも適用可能である。
【００１９】
図１において、１はカメラ本体であり、その前面には撮像レンズ１１が装着される。まず、カメラ本体１側の構成について説明する。
【００２０】
２は主ミラーであり、ファインダ観察状態では、撮影光路内に斜設され、撮影状態では撮影光路外に退避する。また、主ミラー２はハーフミラーとなっており、撮影光路内に斜設されているときは、後述する焦点検出光学系に被写体からの光線の約半分を透過させる。
【００２１】
３はファインダ光学系の一部を構成する、撮像レンズ１１の予定結像面に配置されたピント板、４はファインダ光路変更用のペンタプリズムである。５は接眼レンズであり、撮影者はこの接眼レンズ５の後方にある窓からピント板３を観察することで、撮影画面を観察することができる。６は測光レンズであり、７はファインダ観察画面内の被写体輝度を測定するための測光センサである。
【００２２】
８はフォーカルプレーンシャッタ、９は撮像素子である。２５はサブミラーであり、主ミラー２と同様に、ファインダ観察状態では撮影光路内に斜設され、撮影状態では撮影光路外に退避する。このサブミラー２５は、斜設された主ミラー２を透過した光線を下方に折り曲げて、後述の焦点検出ユニット２６の方に導く。
【００２３】
２６は焦点検出ユニットである。焦点検出ユニット２６は焦点検出センサ２９を備え、いわゆる位相差検出方式によって撮像レンズ１１の焦点調節状態を検出し、その検出結果は撮像レンズの焦点調節機構を制御するカメラマイコン（後述）に送られる。
【００２４】
１０はカメラ本体１と撮像レンズ１１との通信インターフェイスとなるレンズマウント接点群である。
【００２５】
次に、内蔵ストロボの構成について説明する。この内蔵ストロボは、ベース部５４がカメラ本体１に対して収納位置と使用位置に第１の回動軸５２を中心に回動可能であり、図１では、使用位置の状態にある。ベース部５４の先端に、第２の回動軸５３を介して発光部５５が設けられている。そして、発光部５５は、第２の回動軸５３を中心にベース部５４に対して所定の範囲で回動可能に構成されている。また、発光部５５は、ベース部５４およびカメラ本体１（支持部）により支持される構成をしている。この発光部５５内には、キセノン管３１、フレネルレンズ３２、反射板３３などが配置されている。
【００２６】
フレネルレンズ３２には、キセノン管３１から発光した光の一部を光ファイバー３７に導くライトガイド３２ａが一体に設けられている。３７は可撓性を有する光ファイバーであり、一端をライトガイド３２ａに、他端を受光素子３８に取り付けられている。
【００２７】
内蔵ストロボとして、発光部５５を極力小型に形成するために受光素子３８は発光部の外部のカメラ本体１内に配置されている。
【００２８】
光ファイバー３７（導光手段）はキセノン管３１の発光量をモニターするために、キセノン管３１から発光した光の一部を受光素子３８（測光手段）に導く。これにより、キセノン管３１の予備発光および本発光の光量をモニターすることができる。
【００２９】
ベース部５４が使用位置にある状態において、発光部５５は第２の回動軸５３を中心にベース部に対して回動して、バウンス発光をすることが可能である。本実施例においては、発光部は直射状態、バウンス角度６０度、バウンス角度７５度、バウンス角度９０度の各角度においてクリックを有して、保持可能な構成になっている。発光部５５のバウンス角度はバウンス角度検知スイッチ５６（検知手段）で検知することが可能となっている。
【００３０】
図２は、発光部５５の回動の状態を示す図である。
【００３１】
図２（ａ）は発光部が直射状態（バウンス角度０度）、図２（ｂ）はバウンス角度６０度、図２（ｃ）はバウンス角度７５度、図２（ｄ）はバウンス角度９０度の状態を示している。
【００３２】
図２に示すように、発光部５５の回動に伴って、光ファイバー３７の一端もライトガイド３２ａと一体に回動する。そのため、バウンス角度が増すに従って、光ファイバー３７の屈曲状態が変化し、最小曲率半径が小さくなっている。
【００３３】
一般に、光ファイバーはその曲率半径が小さくなるに従って、導光する光の透過率が減少する。そのため、本実施例の内蔵ストロボにおいては、バウンス角度が増すに従って、導光する光の透過率が減少することになる。
【００３４】
このバウンス角度と光ファイバーの透過率の相関は、ユニットの構成、ファイバーの材質、構成などによって異なるものであり、実機で各バウンス角度におけるキセノン管３１の発光量と受光素子３８の出力を測定することで求めることができる。
【００３５】
本実施例では、バウンス角度と光ファイバー３７の透過率が図３で示す関係になっている場合を例に説明する。ここで、図３において、グラフの横軸はバウンス角度であり、縦軸は光ファイバー３７の光透過率をバウンス角度０度に対する比で表したものである。図３によれば、バウンス角度６０度の場合はバウンス角度０度の場合に比較して光ファイバー３７の透過率は約７７％、バウンス角度７５度の場合はバウンス角度０度の場合に比較して光ファイバー３７の透過率は約６７％に減少している。また、バウンス角度９０度の場合はバウンス角度０度の場合に比較して光ファイバー３７の透過率は約５０％に減少している。なお、この図３の情報については、不図示の記憶手段に格納されており、後述するカメラマイコン等により読み出しされる。
【００３６】
次に、図４を用いて、カメラ本体１の回路構成について説明する。なお、図１と同じ部分には同一の符号を付し、その説明は省略する。
【００３７】
１０１はカメラマイコン（補正手段、演算手段）であり、焦点検出回路１０５、測光回路１０６、シャッタ制御回路１０７、モータ制御回路１０８に接続されている。カメラマイコン１０１は、撮像レンズ１１内に配置されたレンズマイコン１１２とはレンズマウント接点群１０を介して信号伝達を行う。
【００３８】
焦点検出回路１０５は、カメラマイコン１０１からの信号に従って焦点検出センサ２９の蓄積制御と読み出し制御を行い、得られた情報をカメラマイコン１０１に出力する。カメラマイコン１０１はこの情報をＡ／Ｄ変換し、位相差検出法による焦点調節状態の検出を行う。なお、焦点調節状態の検出方法は、位相差検出法に限るものでは無く、公知の方法を用いればよいことは言うまでもない。そして、カメラマイコン１０１は、レンズマイコン１１２と信号のやりとりを行うことによって、撮像レンズ１１の焦点調節制御を行う。
【００３９】
測光回路１０６は、被写体に向けてストロボ光を予備発光していない定常状態と予備発光している状態と双方の状態で輝度信号を出力する。カメラマイコン１０１はこの輝度信号をＡ／Ｄ変換し、撮影の露出調節のための絞り値、シャッタ速度、ＩＳＯ感度の演算と、露光時のストロボ発光量の演算とを行う。シャッタ制御回路１０７は、カメラマイコン１０１からの信号に従ってフォーカルプレーンシャッタ８を構成するシャッタ先幕駆動マグネットＭＧ−１およびシャッタ後幕駆動マグネットＭＧ−２の通電制御を行う。これにより、先幕および後幕が走行し、露光動作が行われる。モータ制御回路１０８は、カメラマイコン１０１からの信号に従ってモータＭを制御することにより、主ミラー２のアップダウンおよびシャッタチャージなどを行う。
【００４０】
５６は発光部５５のバウンス角度を検知するバウンス角度検知スイッチである。ＳＷ１は、不図示のレリーズボタンの第１ストローク（半押し）操作でオンし、測光、ＡＦ（自動焦点調節）を開始させるスイッチである。ＳＷ２は、レリーズボタンの第２ストローク（全押し）操作でオンし、シャッタ走行、すなわち露光動作を開始させるスイッチである。ＳＷＦＥＬＫは予備発光を独立して行わせ、その後ＦＥロックモードに移行するスイッチである。ＦＥロックモードとは、スイッチＳＷＦＥＬＫの操作に応じて予備発光が行われ、このときの被写体の輝度から、撮影時の本発光量を決定するモードである。スイッチＳＷ２がオンされる前であれば、ユーザーは任意のタイミングでスイッチＳＷＦＥＬＫを操作して予備発光を行い、ＦＥロックモードに移行させることができる。
【００４１】
上記のバウンス角度検知スイッチ５６、スイッチＳＷ１、ＳＷ２、ＳＷＦＥＬＫ、および、その他不図示の各操作部材の状態信号は、カメラマイコン１０１が読み取る。
【００４２】
次に、ストロボ回路の構成について説明する。
【００４３】
２０２は昇圧回路であり、電源電池１１４の電圧を数１００Ｖに昇圧する。２０３は発光エネルギーを蓄積するメインコンデンサである。２０４，２０５は抵抗であり、メインコンデンサ２０３の電圧を所定比に分圧する。２０６は発光電流を制限するためのコイル、２０７、２０９は発光停止時に発生する逆起電圧を吸収するためのダイオードである。２１１はトリガ発生回路、２１２はＩＧＢＴなどの発光制御回路である。
【００４４】
２３２はストロボ発光時の発光量制御用のコンパレータである。２３６は受光素子３８に流れる光電流を対数圧縮するとともにキセノン管３１の発光量を圧縮積分するための積分測光回路である。
【００４５】
次に、ストロボ回路に接続しているカメラマイコン１０１の各端子について説明する。ＣＮＴは昇圧回路２０２の充電を制御する制御出力用の端子、ＡＤ１は充電電圧を読み込むためのＡ／Ｄ変換入力用の端子、Ｘはシャッタの全開にともなってＯＮするＳＷＸに接続している。カメラマイコン１０１は、ストロボ露光時にＳＷＸがＯＮするタイミングで本発光を実行するように制御する。ＩＮＴは積分測光回路２３６の積分制御出力用の端子、ＡＤ０は積分測光回路２３６から発光量を示す積分電圧を読み込むためのＡ／Ｄ変換入力用の端子、ＤＡ０はコンパレータ２３２のコンパレート電圧を出力するためのＤ／Ａ出力用の端子である。ＴＲＩＧは発光トリガ信号の出力用の端子である。
【００４６】
次に、以上のように構成されたストロボ撮影システムにおける各マイコン１０１，１１２での動作について、図５乃至図７のフローチャートに沿って詳細に説明する。
【００４７】
まず、ストロボ発光可能な状態で、カメラ本体１のスイッチＳＷ１がオンされた場合の動作について、図５のフローチャートにしたがって説明する。
【００４８】
スイッチＳＷ１がオンされると、ステップＳ１０１にて、焦点検出回路１０５は、カメラマイコン１０１からの信号に従って焦点検出センサ２９の蓄積制御を行う。そして、次のステップＳ１０２にて、公知の方法で焦点検出を行い、合焦位置までのレンズ駆動量を演算する。そして、シリアル通信ラインを介してレンズマイコン１１２に対して算出したレンズ駆動量を出力する。
【００４９】
次のステップＳ１０３では、カメラマイコン１０１とレンズマイコン１１２とで信号のやり取りを行い、不図示のフォーカスレンズが合焦幅内にあるか否かを判定する。合焦幅内でない場合はステップＳ１０４へ進み、レンズマイコン１１２がフォーカス駆動を行う。その後はステップＳ１０１に戻る。
【００５０】
上記ステップＳ１０３にて、不図示のフォーカスレンズが合焦幅内であることを判定すると、カメラマイコン１０１は、ステップＳ１０５へ処理を進める。
【００５１】
ステップＳ１０５では、測光回路１０６の不図示の対数圧縮アンプにより対数圧縮され、電圧値に変換された値をＡ／Ｄ入力端子から読み込む。続くステップＳ１０６では、カメラマイコン１０１は、測光結果からシャッタ速度の値（ＴＶ値）と絞りの値（ＡＶ値）とを決定し、ＴＶ値とＡＶ値を不図示のファインダ内表示器および外部表示器に表示する。
【００５２】
ステップＳ１０７では、カメラマイコン１０１は、スイッチＳＷ１がオンされているかどうかを判定し、オンされていればステップＳ１０８へ進み、オフであれば処理を終了する。
【００５３】
次のステップＳ１０８では、カメラマイコン１０１は、スイッチＳＷ２がオンされているかどうかを判定し、オンされていればステップＳ１０９へ進み、オフであればステップＳ１０７に戻って、上記処理を繰り返す。
【００５４】
ステップＳ１０９へ進むと、カメラマイコン１０１は、定常光による被写体輝度を撮像レンズ１１を通して、カメラ本体内の測光回路１０６より取得する。そして、次のステップＳ１１０にて、カメラマイコン１０１は、予備発光動作を行う。
【００５５】
ここで、予備発光動作の詳細について、図４を用いて説明する。カメラマイコン１０１は所定発光レベルに応じて、端子ＤＡ０に所定の電圧（コンパレート電圧）を設定する。このとき、キセノン管３１は未だ発光していないので、コンパレータ２３２の反転入力端子に入力される積分測光回路２３６の出力は発生しない。コンパレータ２３２の出力はＨｉ（ハイレベルを意味する）であるので、発光制御回路２１２は導通状態となる。
【００５６】
次に、端子ＴＲＩＧより発光トリガ信号を出力すると、トリガ発生回路２１１は高圧を発生してキセノン管３１を励起し、発光が開始される。
【００５７】
キセノン管３１が発光を開始すると、受光素子３８に光電流が流れ、積分測光回路２３６の出力が上昇する。コンパレータ２３２の＋入力端子に設定された所定の電圧に達すると、コンパレータ２３２が反転してその出力はＬｏ（ローレベルを意味する）となり、発光制御回路２１２は遮断状態となるので発光が停止される。
【００５８】
予備発光が終了すると、Ｓ１１１にて、予備発光で実際に発光した発光量を演算する一連の処理を行う。この処理の詳細については後述する。
【００５９】
次にステップＳ１１２では、予備発光による被写体反射光が撮像レンズ１１を通して、カメラ本体内の測光回路１０６で受光されるので、カメラマイコン１０１がストロボ反射光による被写体輝度値を取得する。そして、次のステップＳ１１３にて、カメラマイコン１０１は、予備発光時の被写体輝度から定常光による被写体輝度を差し引くことにより、予備発光による反射光分のみの輝度値を抽出する。そして次のステップＳ１１４にて、適正露光を得るために必要な本発光量を演算し、その本発光量に対応したコンパレート電圧をコンパレータ２３２の＋入力端子に設定する。この一連の処理の詳細については後述する。
【００６０】
次のステップＳ１１５では、カメラマイコン１０１は、主ミラー２及びサブミラー２５を跳ね上げて撮影光路から退避させると同時に、レンズマイコン１１２に対して不図示の絞りの絞り込みを指示する。そして、次のステップＳ１１６にて、主ミラー２及びサブミラー２５が撮影光路から退避するのを待つ。主ミラー２及びサブミラー２５が跳ね上がるとステップＳ１１７へ進み、カメラマイコン１０１は、先幕駆動マグネットＭＧ−１に通電し、フォーカルプレーンシャッタ８の開放動作を開始させる。
【００６１】
次のステップＳ１１８では、ストロボ本発光を行う。以下に本発光の処理詳細について説明する。
【００６２】
キセノン管３１が未だ発光していない状態では、受光素子３８にはほとんど光電流が流れない。このため、積分測光回路２３６の出力は発生せず、コンパレータ２３２の−入力電圧は＋入力端子よりも電位が低い。したがって、コンパレータ２３２の出力はＨｉとなり、発光制御回路２１２は導通状態となる。
【００６３】
また、これと同時に、カメラマイコン１０１は、端子ＴＲＩＧから所定時間の間、Ｈｉを出力する。これにより、トリガ発生回路２１１は高圧のトリガ電圧を発生する。キセノン管３１のトリガ電極に高圧が印加されると、キセノン管３１は発光を開始する。キセノン管３１が発光を開始すると、受光素子３８に光電流が流れ、積分測光回路２３６の出力が上昇する。コンパレータ２３２の＋入力端子に設定された所定の電圧に達すると、コンパレータ２３２が反転してその出力はＬｏ（ローレベルを意味する）となり、発光制御回路２１２は遮断状態となるので発光が停止される。この時点で、キセノン管３１は所定の発光量を発生して発光を停止することになり、ストロボ撮影に必要な所望の光量が得られる。
【００６４】
本発光処理が終了し、所定のシャッタ開放時間が経過するとステップＳ１１９へ進む。
【００６５】
ステップＳ１１９にて、カメラマイコン１０１は、後幕駆動マグネットＭＧ−２に通電し、フォーカルプレーンシャッタ８の後幕を閉じて露出を終了する。そして、次のステップＳ１２０にて、主ミラー２及びサブミラー２５をダウンさせ、撮影を終了する。
【００６６】
次に、図５のステップＳ１１１の予備発光量演算処理の詳細について、図６のフローチャートを用いて説明する。
【００６７】
図５のステップＳ１１１で図６の処理が呼び出され、予備発光量演算の一連の処理が開始される。
【００６８】
ステップＳ２０１では、カメラマイコン１０１は、予備発光量を積分した積分測光回路２３６の出力をＡ／Ｄ入力用の端子ＡＤ０から読み込む。続いてステップＳ２０２において、カメラマイコン１０１は、積分測光回路２３６の出力を基に演算し、予備発光時の発光量の基準値Ｑｐ１を求め、ステップＳ２０３へ進む。
【００６９】
ステップＳ２０３では、発光部のバウンス角度が９０°であるか判定し、９０°であればステップＳ２０４へ、９０°でなければステップＳ２０５へと進む。
【００７０】
ステップＳ２０４では、発光部のバウンス角度９０°に対応する発光量補正係数ｋとして０．５０を設定してステップＳ２１０へと進む。
【００７１】
ステップＳ２０５では、発光部のバウンス角度が７５°であるか判定し、７５°であればステップＳ２０６へ、７５°でなければステップＳ２０７へと進む。
【００７２】
ステップＳ２０６では、発光部のバウンス角度７５°に対応する発光量補正係数ｋとして０．６７を設定してステップＳ２１０へと進む。
【００７３】
ステップＳ２０７では、発光部のバウンス角度が６０°であるか判定し、６０°であればステップＳ２０８へ、６０°でなければステップＳ２０９へと進む。
【００７４】
ステップＳ２０８では、発光部のバウンス角度６０°に対応する発光量補正係数ｋとして０．７７を設定してステップＳ２１０へと進む。
【００７５】
ステップＳ２０９では、発光部のバウンス角度０°に対応する発光量補正係数ｋとして１．０を設定してステップＳ２１０へと進む。
【００７６】
ステップＳ２１０では、予備発光量基準値Ｑｐ１を発光量補正係数ｋで除することにより予備発光量Ｑｐを求めて本サブルーチン処理を終了する。
【００７７】
このように、本発明では、図３のグラフを参照して分かるように、光ファイバー３７の透過光量が低くなるにつれて、受光素子３８の測光結果の補正を大きくしている。
【００７８】
上記処理において、ステップＳ２０４、Ｓ２０６、Ｓ２０８、Ｓ２０９で設定した発光量補正係数ｋは、各々のバウンス角度での光ファイバー３７の光透過率とバウンス角度０度の場合の光ファイバー３７の光透過率との比である。すなわち図３のグラフの各バウンス角度における透過光量の値である。
【００７９】
次に、図５のステップＳ１１４の本発光制御値設定の処理の詳細について、図７のフローチャートを用いて説明する。
【００８０】
図５のステップＳ１１４で図７の処理が呼び出され、本発光制御値設定の一連の処理が開始される。
【００８１】
ステップＳ３０１では、カメラマイコン１０１は、本発光量Ｑｍ、露出制御値を演算する。
【００８２】
具体的には、まず、定常光による被写体輝度、予備発光の発光量Ｑｐ、予備発光による反射光分のみの輝度値、カメラの露出設定、被写体距離、バウンス角度などを総合的に考慮して、適正露光となるために必要な反射光分の理想の輝度値を演算する。
【００８３】
次に、ステップＳ１１３で抽出された反射光分のみの輝度値と、前記適正露光となるために必要な反射光分の理想の輝度値の比率を求め、その比率とＳ１１１で求めた予備発光量Ｑｐを乗算することで、必要本発光量Ｑｍ０を決定する。
【００８４】
ここで求めた必要本発光量Ｑｍ０がフル発光量Ｑｍｆ以下であれば本発光量Ｑｍ＝Ｑｍ０とする。必要本発光量Ｑｍ０がフル発光量Ｑｍｆより大きい場合は、Ｑｍ＝Ｑｍｆ、すなわち本発光量をフル発光とし、光量の不足分に相当する分、露出制御値のＩＳＯ感度や絞り値を補正する。上記演算において、必要本発光量Ｑｍ０を正確に求めるためには予備発光量Ｑｐを正確に求める必要がある。求めた必要本発光量Ｑｍ０に誤差があると、特にフル発光で発光量が不足してその分をＩＳＯ感度や絞り値を補正する必要がある場合、その補正量に誤差が発生して、適正露出が得られない結果となる。
【００８５】
ステップＳ３０２では、発光部のバウンス角度が９０°であるか判定し、９０°であればステップＳ３０３へ、９０°でなければステップＳ３０４へと進む。
【００８６】
ステップＳ３０３では、発光部のバウンス角度９０°に対応する発光量補正係数ｋとして０．５０を設定してステップＳ３０９へと進む。
【００８７】
ステップＳ３０４では、発光部のバウンス角度が７５°であるか判定し、７５°であればステップＳ３０５へ、７５°でなければステップＳ３０６へと進む。
【００８８】
ステップＳ３０５では、発光部のバウンス角度７５°に対応する発光量補正係数ｋとして０．６７を設定してステップＳ３０９へと進む。
【００８９】
ステップＳ３０６では、発光部のバウンス角度が６０°であるか判定し、６０°であればステップＳ３０７へ、６０°でなければステップＳ３０８へと進む。
【００９０】
ステップＳ３０７では、発光部のバウンス角度６０°に対応する発光量補正係数ｋとして０．７７を設定してステップＳ３０９へと進む。
【００９１】
ステップＳ３０８では、発光部のバウンス角度０°に対応する発光量補正係数ｋとして１．０を設定してステップＳ３０９へと進む。
【００９２】
ステップＳ３０９では、本発光量Ｑｍに発光量補正係数ｋを乗ずることにより本発光制御量Ｑｍ１を求めてステップＳ３１０に進む。
【００９３】
ステップＳ３１０において、カメラマイコン１０１は、本発光制御量Ｑｍ１に対応する制御電圧をＤＡ０端子に出力し、本サブルーチン処理を終了する。
【００９４】
この制御電圧は、前述の予備発光時に説明した積分測光回路２３６の出力電圧、すなわち積分電圧に対して、予備発光量基準値Ｑｐ１と本発光制御量Ｑｍ１との光量差に相当する制御電圧を加算した電圧である。
【００９５】
上記処理において、ステップＳ３０３、Ｓ３０５、Ｓ３０７、Ｓ３０８で設定した発光量補正係数ｋは、各々のバウンス角度での光ファイバー３７の光透過率とバウンス角度０度の場合の光ファイバー３７の光透過率との比である。すなわち図３のグラフの各バウンス角度における透過光量の値である。
【００９６】
以上の実施例によれば、ストロボ発光部がバウンス状態となり、ファイバーの特性（屈曲状態）が変化してもストロボの予備発光量を適切に把握することが可能となるとともに、本発光の発光量の制御や露出設定を適切に行うことが可能となる。
【００９７】
以上、本発明の好ましい実施形態について説明したが、本発明はこれらの実施形態に限定されず、その要旨の範囲内で種々の変形及び変更が可能である。
【００９８】
例えば、上記の実施例においては、小型でバウンス可能なストロボ装置としてバウンス機構を設けた内蔵ストロボを例に説明したが、本発明は例えば小型でバウンス可能な外付けストロボ装置にも適用することができる。本発明を小型の外付けストロボ装置に適用した場合は、測光手段である受光素子は、カメラ本体内や発光部内に配置することができないので、カメラ本体と接続して発光部を回転可能に支持するベース部（支持部）内に配置される構成となる。また、上記の実施例においては、カメラマイコン１０１が測光手段（受光素子３８）の測光結果を補正しているが、この補正をストロボ装置に設けられたストロボマイコンにより行わせてもよい。外付けストロボ装置に設けられたストロボマイコンは、発光部５５の位置を検出する検知手段５６の検知結果に応じて上述したステップを行うことにより測光結果を補正することができる。また、例えば外付けストロボ装置内で補正を行わなくても、接続された撮像装置側で適切な補正を行わせるようにしてもよい。この場合は、外付けストロボ装置は、発光部の位置の検出結果、測光手段の測光結果、外付けストロボ装置のＩＤ情報等を送信して、撮像装置のカメラマイコンと通信を行う。
【産業上の利用可能性】
【００９９】
本発明は、内蔵ストロボを有する撮像装置や、撮像装置に装着される外付けストロボ装置に好適に利用することができる。
【符号の説明】
【０１００】
１     カメラ本体
３７   光ファイバー
３８    受光素子
５４   ベース部
５５   発光部
５６   バウンス角度検知スイッチ
１０１  カメラマイコン
【図１】
0005800592.tif 000002
【図６】
0005800592.tif 000003
【図７】
0005800592.tif 000004
【図２】
0005800592.tif 000005
【図３】
0005800592.tif 000006
【図４】
0005800592.tif 000007
【図５】
0005800592.tif 000008
【図８】
0005800592.tif 000009